(57)【特許請求の範囲】
【請求項１】
筐体内に遮断器、配線接続端子、及び開閉可能な配線接続端子の感電防止カバーを備える電源箱の前記感電防止カバーの開閉を制限し、感電を防止する感電防止装置であって、
前記遮断器のレバーに着脱可能に装着され、前記レバーの入り切りに連動して動く連結体と、
前記連結体に固着され前記レバーの入り切りに連動して動き、前記感電防止カバーの開閉を制限する開閉制限体と、を含み、
前記感電防止カバーが開いているときに、前記遮断器を入りにしようとすると、前記開閉制限体が前記感電防止カバーに接触し、前記遮断器が入りの状態にならないことを特徴とする感電防止装置。
【請求項２】
開閉可能な配線接続端子の前記感電防止カバーは、一辺を中心に回動し、
前記開閉制限体は、前記遮断器が入りのときには、前記感電防止カバーが回動する範囲内に位置し、前記感電防止カバーの回動を阻止し、前記遮断器が切りのときには、前記感電防止カバーが回動する範囲外に位置し、前記感電防止カバーの回動を阻止しないことを特徴とする請求項１に記載の感電防止装置。
【請求項３】
開閉可能な配線接続端子の前記感電防止カバーは、板状体であり、一端部にヒンジを有し、前記ヒンジを中心に水平方向に回動し、
前記開閉制限体は、前記遮断器が入りのときには、前記感電防止カバーと僅かな隙間を有し、前記感電防止カバーの回動方向であって、前記感電防止カバーの前面に位置し、前記感電防止カバーの回動を阻止し、前記遮断器が切りのときには、前記感電防止カバーの下方に位置し、前記感電防止カバーの回動を阻止しないことを特徴とする請求項２に記載の感電防止装置。
【請求項４】
筐体内に遮断器、配線接続端子、及び開閉可能な配線接続端子の感電防止カバーを備える電源箱の前記感電防止カバーの開閉を制限し、感電を防止する感電防止装置であって、
前記筐体内に固定された開閉制限体と、
前記遮断器のレバーに着脱可能に装着され、前記レバーの入り切りに連動して動く連結体と、を含み、
前記感電防止カバーは、前記連結体に開閉可能に固着され、前記レバーの入り切りに連動して動き、
前記開閉制限体は、前記遮断器が入りのときには、前記感電防止カバーが開閉する範囲内となり、前記感電防止カバーは開閉が阻止され、前記遮断器が切りのときには、前記感電防止カバーが開閉する範囲外となり、前記感電防止カバーは回動可能なことを特徴とする感電防止装置。
【請求項５】
筐体内に遮断器、配線接続端子、及び着脱可能な配線接続端子の感電防止カバーを備える電源箱の前記感電防止カバーの着脱を制限し、感電を防止する感電防止装置であって、
前記遮断器のレバーに着脱可能に装着され、前記レバーの入り切りに連動して動く連結体と、
前記連結体に固着され前記レバーの入り切りに連動して動き、前記感電防止カバーの着脱を制限する着脱制限体と、
を含むことを特徴とする感電防止装置。
【請求項６】
着脱可能な配線接続端子の前記感電防止カバーは、固定ネジで前記筐体内に着脱可能に固定され、
前記着脱制限体は、前記遮断器が入りのときには、前記固定ネジを取外し不能とする範囲に位置し、前記感電防止カバーの取外しを阻止し、前記遮断器が切りのときには、前記固定ネジを取外し可能とする範囲に位置し、前記感電防止カバーの取外しを阻止しないことを特徴とする請求項５に記載の感電防止装置。
【請求項７】
電気を入り切りする遮断器と、
電気配線を接続可能な配線接続端子と、
開閉可能な配線接続端子の感電防止カバーと、
請求項１から４のいずれか１に記載の感電防止装置と、
前記遮断器、前記配線接続端子、前記感電防止カバー、及び前記感電防止装置を収納可能な筐体と、
を含むことを特徴とする電源箱。
【請求項８】
電気を入り切りする遮断器と、
電気配線を接続可能な配線接続端子と、
着脱可能な配線接続端子の感電防止カバーと、
請求項５又は６に記載の感電防止装置と、
前記遮断器、前記配線接続端子、前記感電防止カバー、及び前記感電防止装置を収納可能な筐体と、
を含むことを特徴とする電源箱。
【発明の詳細な説明】
【技術分野】
【０００１】
本発明は、電源箱内に設けられる配線接続端子の感電防止カバーの開閉、又は着脱を制限し、感電を防止する感電防止装置、及びこれを備える電源箱に関する。
【背景技術】
【０００２】
現場の作業等に必要な機器や工具に、電源を供給するために作業現場に設置する作業用電源箱は、あるいは工場等で電源を供給するために電源箱、電源盤は、日常的によく使用されている。図９は、従来から使用されている電源箱１の斜視図の一部である。
【０００３】
電源箱１は、電源を入り切りする遮断器２、機器や工具に電源を供給するための電線接続部３を有し、これらは筐体４に収納されている。筐体４の前面には、雨水が入り込むことを防止するための開閉扉が設けられることが多い。遮断器２は前面に電源を入り切りするためのレバー５を有し、レバーを上下することで、電源を入り切りすることができる。接続部３は、電気的絶縁性の材料からなる板状体６と、板状体６に設けられた配線接続端子７と、を含み構成される。配線接続端子７の前面には、配線接続端子７へ接触し感電することを防止する感電防止カバー８が設けられている。感電防止カバー８は、配線接続端子７を視認可能なように透明な材料で形成されることが多く、一端にヒンジ９を有し、ヒンジ９を中心に水平方向に回動可能である。
【０００４】
工具や機器を接続する場合は、遮断器２を切りとした後、感電防止カバー８を開け、配線接続端子７に工具や機器の電気コードを接続する。工具や機器の電気コードを配線接続端子７に接続した後、感電防止カバー８を閉め、遮断器２を入りとした後、工具や機器を使用する。工具や機器の電気コードを配線接続端子７から取り外す場合には、遮断器２を切りとした後、感電防止カバー８を開け、配線接続端子７に接続した工具や機器の電気コードを取り外す。
【０００５】
以上のように、電源箱１には、配線接続端子７へ接触し感電することを防止するための感電防止カバー８が設けられている。工具や機器の電気コードを配線接続端子７に接続、又は取り外す場合に、遮断器２を切りとすることで感電を防止することができるが、誤認又は誤操作により、遮断器２が入りの状態で感電防止カバー８を開け配線接続端子７に接触し、感電事故が発生する場合もある。
【０００６】
感電を防止する技術として、装置筐体の開口部に外部から着脱可能な部材と、その部材近傍に取付けられる遮断器を有し、部材を装置筐体から取り外すときには、その部材が遮断器のレバーに接触しレバーを押し下げ、遮断器が切りとなる技術が開示されている（例えば特許文献１参照）。また、変電設備等に用いられる断路器において、断路器を断路したとき、入力端子部を覆う安全カバーが設けられ、感電を防止する技術が開示されている（例えば特許文献２参照）。
【特許文献１】特開平１０−１１６５３２号公報
【特許文献２】特開平１０−１４４１８４号公報
【発明の開示】
【発明が解決しようとする課題】
【０００７】
特許文献１に記載の技術は、部材を装置筐体から取り外すときには、部材が遮断器のレバーに接触しレバーを押し下げ、遮断器が切りとなる技術であり、電源箱、電源盤の配線接続端子の感電防止に適用可能な技術ではない。同様に特許文献２に記載の技術も、電源箱、電源盤の配線接続端子の感電防止に適用可能な技術ではない。
【０００８】
以上のように、遮断器及び配線接続端子を有する電源箱、電源盤の誤認、誤操作による感電を防止する技術は、開発、開示されておらず、電源が入りの状態では、配線接続端子に接触することができない構造を有する電源箱、電源盤の開発が待たれている。また、配線接続端子への接触による感電を確実に防止することが可能で、既設の電源箱、電源盤にも取付け可能な感電防止装置の開発も待たれているところである。
【０００９】
本発明の目的は、構造が簡単であり、誤操作、誤認による感電を防止することが可能な
電源箱の感電防止装置を提供することにある。また既設の電源箱にも装着可能な感電防止装置、及びこれを使用した電源箱を提供することにある。
【課題を解決するための手段】
【００１０】
本発明は、筐体内に遮断器、配線接続端子、及び開閉可能な配線接続端子の感電防止カバーを備える電源箱の前記感電防止カバーの開閉を制限し、感電を防止する感電防止装置であって、
前記遮断器のレバーに着脱可能に装着され、前記レバーの入り切りに連動して動く連結体と、
前記連結体に固着され前記レバーの入り切りに連動して動き、前記感電防止カバーの開閉を制限する開閉制限体と、を含み、
前記感電防止カバーが開いているときに、前記遮断器を入りにしようとすると、前記開閉制限体が前記感電防止カバーに接触し、前記遮断器が入りの状態にならないことを特徴とする感電防止装置である。
【００１１】
また本発明で、開閉可能な配線接続端子の前記感電防止カバーは、一辺を中心に回動し、
前記開閉制限体は、前記遮断器が入りのときには、前記感電防止カバーが回動する範囲内に位置し、前記感電防止カバーの回動を阻止し、前記遮断器が切りのときには、前記感電防止カバーが回動する範囲外に位置し、前記感電防止カバーの回動を阻止しないことを特徴とする請求項１に記載の感電防止装置である。
【００１２】
また本発明で、開閉可能な配線接続端子の前記感電防止カバーは、板状体であり、一端部にヒンジを有し、前記ヒンジを中心に水平方向に回動し、
前記開閉制限体は、前記遮断器が入りのときには、前記感電防止カバーと僅かな隙間を有し、前記感電防止カバーの回動方向であって、前記感電防止カバーの前面に位置し、前記感電防止カバーの回動を阻止し、前記遮断器が切りのときには、前記感電防止カバーの下方に位置し、前記感電防止カバーの回動を阻止しないことを特徴とする請求項２に記載の感電防止装置である。
【００１４】
また本発明は、筐体内に遮断器、配線接続端子、及び開閉可能な配線接続端子の感電防止カバーを備える電源箱の前記感電防止カバーの開閉を制限し、感電を防止する感電防止装置であって、
前記筐体内に固定された開閉制限体と、
前記遮断器のレバーに着脱可能に装着され、前記レバーの入り切りに連動して動く連結体と、を含み、
前記感電防止カバーは、前記連結体に開閉可能に固着され、前記レバーの入り切りに連動して動き、
前記開閉制限体は、前記遮断器が入りのときには、前記感電防止カバーが開閉する範囲内となり、前記感電防止カバーは開閉が阻止され、前記遮断器が切りのときには、前記感電防止カバーが開閉する範囲外となり、前記感電防止カバーは回動可能なことを特徴とする感電防止装置である。
【００１５】
また本発明は、筐体内に遮断器、配線接続端子、及び着脱可能な配線接続端子の感電防止カバーを備える電源箱の前記感電防止カバーの着脱を制限し、感電を防止する感電防止装置であって、
前記遮断器のレバーに着脱可能に装着され、前記レバーの入り切りに連動して動く連結体と、
前記連結体に固着され前記レバーの入り切りに連動して動き、前記感電防止カバーの着脱を制限する着脱制限体と、
を含むことを特徴とする感電防止装置である。
【００１６】
また本発明で、着脱可能な配線接続端子の前記感電防止カバーは、固定ネジで前記筐体内に着脱可能に固定され、
前記着脱制限体は、前記遮断器が入りのときには、前記固定ネジを取外し不能とする範囲に位置し、前記感電防止カバーの取外しを阻止し、前記遮断器が切りのときには、前記固定ネジを取外し可能とする範囲に位置し、前記感電防止カバーの取外しを阻止しないことを特徴とする請求項５に記載の感電防止装置である。
【００１７】
本発明は、電気を入り切りする遮断器と、
電気配線を接続可能な配線接続端子と、
開閉可能な配線接続端子の感電防止カバーと、
請求項１から４のいずれか１に記載の感電防止装置と、
前記遮断器、前記配線接続端子、前記感電防止カバー、及び前記感電防止装置を収納可能な筐体と、
を含むことを特徴とする電源箱である。
また本発明は、電気を入り切りする遮断器と、
電気配線を接続可能な配線接続端子と、
着脱可能な配線接続端子の感電防止カバーと、
請求項５又は６に記載の感電防止装置と、
前記遮断器、前記配線接続端子、前記感電防止カバー、及び前記感電防止装置を収納可能な筐体と、
を含むことを特徴とする電源箱である。
【発明の効果】
【００１８】
本発明は、電源箱内の配線接続端子の感電防止カバーの開閉を制限し、感電を防止する
感電防止装置であって、遮断器のレバーに着脱可能に装着され、レバーの入り切りに連動
して動く連結体と、連結体に固着されレバーの入り切りに連動して動き、感電防止カバー
の開閉を制限する開閉制限体と、を含むので、配線接続端子に接触し感電することを確実
に防止することができる。また本発明の感電防止装置は、構造が簡単であり、既設の電源箱に装着して使用することができる。また、感電防止カバーが開いているときに遮断器を入りにしようとすると、開閉制限体が感電防止カバーに接触し、遮断器が入りの状態にならないので、接触による感電を確実に防止することができる。
【００２０】
また本発明によれば、開閉可能な配線接続端子の感電防止カバーは、一辺を中心に回動し、開閉制限体は、遮断器が入りのときには、感電防止カバーが回動する範囲内に位置し、感電防止カバーの回動を阻止し、遮断器が切りのときには、感電防止カバーが回動する範囲外に位置し、感電防止カバーの回動を阻止しないので、遮断器が入りのときは、感電防止カバーを開けることができず、配線接続端子への接触による感電を確実に防止することができる。
【００２１】
また本発明によれば、開閉可能な配線接続端子の感電防止カバーは、板状体であり、一端部にヒンジを有し、ヒンジを中心に水平方向に回動し、開閉制限体は、遮断器が入りのときは、感電防止カバーと僅かな隙間を有し、感電防止カバーの回動方向であって、感電防止カバーの前面に位置し、遮断器が切りのときは、開閉制限体は、感電防止カバーの下方に位置するので、水平方向に回動可能な感電防止カバーを有する電源箱に装着して使用することができる。また接触による感電を確実に防止することができる。
【００２３】
また本発明は、電源箱内の配線接続端子の感電防止カバーの開閉を制限し、感電を防止する感電防止装置であって、筐体内に固定された開閉制限体と、遮断器のレバーに着脱可能に装着され、レバーの入り切りに連動して動く連結体と、を含み構成され、感電防止カバーは、連結体に開閉可能に固着され、レバーの入り切りに連動して動き、遮断器が入りのときには、開閉制限体は、感電防止カバーが開閉する範囲内となり、感電防止カバーは開閉が阻止され、遮断器が切りのときには、開閉制限体は、感電防止カバーが開閉する範囲外となり、感電防止カバーは回動可能なので、構造が簡単であり、また既設の電源箱に装着して使用することができる。さらに接触による感電を確実に防止することができる。
【００２４】
また本発明は、電源箱内の配線接続端子の感電防止カバーの着脱を制限し、感電を防止する感電防止装置であって、遮断器のレバーに着脱可能に装着され、レバーの入り切りに連動して動く連結体と、連結体に固着されレバーの入り切りに連動して動き、感電防止カバーの着脱を制限する着脱制限体と、を含み構成されるので、構造が簡単であり、また既設の電源箱に装着して使用することができる。さらに接触による感電を確実に防止することができる。
【００２５】
また本発明によれば、着脱可能な配線接続端子の感電防止カバーは、固定ネジで筐体内に着脱可能に固定され、着脱制限体は、遮断器が入りのときには、固定ネジを取外し不能とする範囲に位置し、感電防止カバーの取外しを阻止し、遮断器が切りのときには、固定ネジを取外し可能とする範囲に位置し、感電防止カバーの取外しを阻止しないので、接触による感電を確実に防止することができる。本発明により、固定ネジで固定される感電防止カバーを備える電源箱にも使用することができる。
【００２６】
また本発明によれば、本電源箱は、電気を入り切りする遮断器と、電気配線を接続可能な配線接続端子と、開閉可能な配線接続端子の感電防止カバーと、請求項１から４のいずれか１に記載の感電防止装置と、遮断器、配線接続端子、感電防止カバー、及び感電防止装置を収納可能な筐体と、を含み構成されるので、接触による感電を確実に防止することができる。
また本発明によれば、本電源箱は、電気を入り切りする遮断器と、電気配線を接続可能な配線接続端子と、着脱可能な配線接続端子の感電防止カバーと、請求項５又は６に記載の感電防止装置と、遮断器、配線接続端子、感電防止カバー、及び感電防止装置を収納可能な筐体と、を含み構成されるので、接触による感電を確実に防止することができる。
【発明を実施するための最良の形態】
【００２７】
図１は、本発明の第１の実施形態としての感電防止装置１０を装着した電源箱２０の斜視図である。図２は図１の切断線ＩＩ−ＩＩで切断した断面図の一部を示す部分断面図である。電源箱２０は、電気機器、電気工具などに電気を供給するためのものであり、筐体２１内に、電源を入り切りする遮断器２２、機器や工具の電気コードを接続し、機器や工具に電源を供給するための配線接続部２３などを有する。
【００２８】
遮断器２２は、前面に電源を入り切りするためのレバー２４を有し、遮断器固定用架台２５を介して、筐体２１に固定される。レバー２４を上下に動かすことで、電源を入り切りすることができる。配線接続部２３は、電気的絶縁性の材料からなる板状体２６と、板状体２６に設けられた配線接続端子２７と、を含み構成される。配線接続端子２７はネジ構造を有しており、ナット２８ａ、２８ｂで板状体２６に固定されている。配線接続端子２７は、電線２９で遮断器２２と電気的に接続される。
【００２９】
電線２９と配線接続端子２７との接続は、電線２９に固着された接続部材３０をナット２８ａで挟持することで行われる。さらに配線接続端子２７は、筐体２１の下部開口部３１から導入される電気工具等の電気コード３２（３２ａ、３２ｂ、３２ｃ）と着脱可能にナット３３で接続される。電気コード３２と配線接続端子２７との接続は、電気コード３２に固着された接続部材３４をナット３３で挟持することで行われる。
【００３０】
配線接続部２３の前面には、配線接続端子２７に接触し、感電することを防止するための感電防止カバー４０が配設されている。感電防止カバー４０は、配線接続端子２７の接続状態を視認可能なように、電気絶縁性の透明樹脂で形成されることが多い。感電防止カバー４０は矩形の形状を有し、一側辺にヒンジ４１を備える。ヒンジ４１の一端は、電源箱２０の筐体２１に固着されたヒンジ固定台４２に固定され、感電防止カバー４０は、ヒンジ４１を中心に水平方向に回動することができる。感電防止カバー４０は、図１中Ａの方向には回動可能であるが、反対方向には回動することができない。
【００３１】
遮断器２２のレバー２４には、感電防止装置１０が装着されている。感電防止装置１０は、レバー２４に着脱可能な連結棒取付板１１と、連結棒取付板１１に固着される連結棒１２（１２ａ、１２ｂ）と、連結棒１２に固着される断面形状が凹状の凹状体１３とを含み構成される。本実施形態では、連結棒取付板１１と連結棒１２とを別々の部材で構成したけれども、これらを一体に形成可能なことは言うまでもない。本実施形態では、連結棒取付板１１と連結棒１２とが連結体に該当する。また後述するように、本実施形態では、連結棒に固着される凹状体１３が開閉制限体に該当する。
【００３２】
遮断器２２のレバー２４に着脱可能に装着される連結棒取付板１１、及び連結棒１２の材質は、特に限定されないけれども、これら連結体及び開閉制限体１３の重量は、レバー２４が受けることとなるため、軽量な材料であることが望ましい。さらに安全上、電気絶縁性の材料であることがさらに望ましい。連結体の形状も、重量を考慮し、変形することのなく開閉制限体１３を支持可能な形状とすればよい。
【００３３】
断面形状が凹状の凹状体１３は、凹状体１３を形成する板状部のうち前面側の板状部１４が、後述のように凹状体１３が持ち上げられたとき、感電防止カバー４０が回動する方向であって、感電防止カバー４０の前面側に、平面視において重なり合うように配設される。
【００３４】
次に感電防止装置１０の、感電防止メカニズムを説明する。遮断器２２のレバー２４を下げ電源を切りの状態とすると、レバー２４に装着された連結体１１、１２もレバーに連動して下がる。連結体１１、１２に固着する凹状体１３も、連結体１１、１２と一体的に下がる。遮断器２２のレバー２４が下がった状態では、凹状体１３の前面側の板状部１４
の上端１５は、感電防止カバー４０の下端４３よりも低い位置にある。よって、遮断器２２を切りの状態としているときは、感電防止カバー４０を開ける（回動させる）ことができる。このときは、配線接続端子２７には電気が通じていないので、配線接続端子２７に接触しても感電することはない。
【００３５】
一方、遮断器２２のレバー２４を上げ電源を入りの状態とすると、レバー２４に装着された連結体１１、１２もレバー２４に連動して上がる。連結体１１、１２に固着する凹状体１３も、連結体１１、１２と一体的に持ち上げられる。凹状体１３を形成する板状部のうち前面側の板状部１４は、凹状体１３が持ち上げられたとき、感電防止カバー４０が回動する方向であって、感電防止カバー４０の前面側に、平面視において重なり合うように配設される。つまり遮断器２２のレバー２４が上がった状態では、凹状体１３の前面側の板状部１４の上端１５は、感電防止カバー４０の下端４３よりも高い位置にある。
【００３６】
この結果遮断器２２を入りの状態としているときは、感電防止カバー４０を開ける（回動させる）ことができない。遮断器２２を入りの状態としているときは、配線接続端子２７には電気が通じているが、感電防止カバー４０を開けることができないので、配線接続端子２７に接触し感電することはない。
【００３７】
以上のように凹状体１３は、連結体１１、１２と連動し感電防止カバー４０の開閉を制限する開閉制限体として機能する。断面形状が凹状の凹状体１３の低部の板状部１６の幅が大きく、凹状体１３が持ち上げられたとき、凹状体１３の前面側の板状部１４と、感電防止カバー前面部４４との間の距離が大きいと、感電防止カバー４０を完全に開けることは無理であっても、多少は開けることが可能なので、凹状体１３が持ち上げられたときの凹状体１３の前面側の板状部１４と感電防止カバー前面部４４との間の距離δは、わずかであることが望ましい。この距離は、感電防止カバー４０が少し開いたとしても、配接続端子２７に接触することができない距離である。
【００３８】
上記に記載のように、本発明の感電防止装置１０は、非常に簡単な構造で、かつ配線接続端子２７に接触し感電することを確実に防止することができる。また、本発明の感電防止装置１０は、遮断器２２のレバー２４に着脱可能な構造を有するので、既設の電源箱にも使用することができる。なお、図１及び図２に示す第１の実施形態において、感電防止カバー４０は水平方向に回動する例を示したけれども、感電防止カバーの上端部にヒンジを設け、感電防止カバー４０を鉛直方向に回動させる形式のものにも適用可能なことは言うまでもない。
【００３９】
図３は、本発明の第１の実施形態としての感電防止装置１０を装着した電源箱２０の斜視図であって、感電防止カバー４０が開いている状態を示した図である。本実施形態で図１、又は図２の実施形態に対応する部分には同一の符号を付して、重複する説明は省略する。図３に示すように感電防止装置１０を備える電源箱２０において、感電防止カバー４０が開いている状態で、電源を入れるために遮断器２２のレバー２４を持ち上げると、レバー２４と連動して開閉制限体１３も持ち上げられる。その結果、開閉制限体１３が感電防止カバー４０に接触し、レバー２４が引き続き持ち上げられることを抑制するので、電源を入りとすることができない。
【００４０】
このように感電防止装置１０を装着した電源箱２０にあっては、感電防止カバー４０が開いているときには、遮断器２２を入りの状態にすることができないので、仮に誤って配線接続端子２７に接触しても感電することはない。開閉制限体１３が仮に感電防止カバー４０に接触した場合であっても、開閉制限体１３及び連結体１１、１２が変形又は破損しない強度を備えることが必要なことは言うまでもない。
【００４１】
図４は、本発明の第２の実施形態としての感電防止装置５０を装着した電源箱２０の部分断面図である。本実施形態で図１、又は図２の実施形態に対応する部分には同一の符号を付して、重複する説明は省略する。図４に示す感電防止装置５０は、図１の切断線ＩＩ−ＩＩと同じ位置で切断した部分断面図である。図４は、遮断器２２のレバー２４が上がった状態、つまり配線接続端子２７に電気が通じている状態である。図１に示す第１の実施形態との相異点は、開閉制限体の形状にあり、その他の構成は図１の構成と同一である。
【００４２】
本感電防止装置５０も、図１に示した感電防止装置１０と同様、遮断器２２のレバー２４に装着可能な連結体１１、１２、及び開閉制限体５１を含み構成される。本実施形態に示す開閉制限体５１は、連結棒１２に板状体５１を固着したものであり、断面形状が矩形である。開閉制限体は、本実施形態に示すように板状体５１であっても断面形状が凹状の凹状体１３と同様、確実に感電を防止することができる。
【００４３】
本感電防止装置５０の感電防止メカニズムは、図１に示した感電防止装置１０の感電防止メカニズムと同一である。図４に示すように遮断器２２のレバー２４を上げ、電源を入りの状態とすると、連結体１２に連動して板状体である開閉制限体５１も持ち上げられ、開閉制限体５１の上端５２が、感電防止カバー４０の下端４３よりも高い位置となるため、感電防止カバー４０が開けられることを防止することができる。遮断器２２のレバー２４を下げると、感電防止カバー４０を開くことができるのは、図１に示す感電防止装置１０と同一である。図４に示す感電防止装置５０では、開閉制限体５１に板状体を用いているけれども、板状体の代わりに、棒状体を使用することもできる。
【００４４】
図４に示すように開閉制限体は、板状体５１又は棒状体を使用することが可能であるが、開閉制限体５１は、所定の長さを有することが必要である。図５（ａ）、図５（ｂ）は、本発明の実施形態の比較例として、開閉制限体として長さの短い開閉制限体６０（６０ａ、６０ｂ）を用いた例を示す図である。図５（ａ）は、感電防止カバー４０と開閉制限体６０の関係を示す斜視図であり、図５（ｂ）は、感電防止カバー４０と開閉制限体６０の関係を示す平面図である。本比較例で図１、又は図２の実施形態に対応する部分には同一の符号を付して、重複する説明は省略する。
【００４５】
図５（ａ）、図５（ｂ）に示す開閉制限体６０（６０ａ、６０ｂ）は、図４に示した開閉制限体５１と同様、断面形状が矩形の板状体であるが、中央部に板状体がなく両側に長さの短い板状体６０ａ、６０ｂが連結棒１２ａ、１２ｂに固着されている。このような形状を有する開閉制限体６０ａ、６０ｂを用いると、図５（ｂ）に示すように遮断器２２が入りの状態（二点鎖線で示す）では、感電防止カバー４０は開閉制限体６０ａが邪魔となり閉まっている状態から開けることはできない。
【００４６】
しかしながら、感電防止カバー４０が開いている状態では、遮断器２２を入りとすることができる場合がある。図５（ａ）、図５（ｂ）に示すように、開閉制限体の中央部に部材がないため、感電防止カバー４０に接触することなく開閉制限体６０ａ、６０ｂを持ち上げることができることによる。このような状態が生じると、電源が入りの状態で、配線接続端子２７に接触し、感電することもあるので、感電防止装置が備える機能としては不完全である。
【００４７】
これを防止するには、開閉制限体を感電防止カバー４０の長さ以上にすればよい。開閉制限体の中央部に空間部を設けるような場合、又はヒンジ４１側にのみ開閉制限体を設ける場合にあっては、感電防止カバー４０が所定の位置、つまり感電防止カバー４０が仮に開いていても、配線接続端子２７に接することができない位置まで感電防止カバーが閉まっていなければ、遮断器２２のレバー２４を入りとすると、開閉制限体が感電防止カバー４０に接触し、遮断器２２を入りとすることができない長さを有する開閉制限体であることが必要である。
【００４８】
図６は、本発明の第３の実施形態としての感電防止装置７０を装着した電源箱２０の正面図である。図６は、遮断器２２が入りの状態で、感電防止カバー４０を開けることができない状態を示す。なお本実施形態で図１、又は図２の実施形態に対応する部分には同一の符号を付して、重複する説明は省略する。図６で示す感電防止装置７０も、第１及び第２の実施形態と同様、遮断器２２のレバー２４に装着可能な連結体１１、１２、及び開閉制限体７１を含み構成される。
【００４９】
図６で示す第３の実施形態の感電防止装置７０は、図１で示した感電防止装置１０とは異なり、感電防止カバー４０が遮断器２２のレバー２４に連動して上下し、開閉制限体７１は筐体２１に固定されている。連結棒１２ａ、１２ｂはヒンジ固定台４２を有し、感電防止カバー４０は、ヒンジ４１を介して開閉可能にヒンジ固定台４２に取り付けられている。このため遮断器２２のレバー２４を上下、つまり電源を入り切りすると、レバー２４に連動して連結体１１、１２、及び感電防止カバー４０が上下する。感電防止カバー４０は、一側辺にヒンジ４１を有し、ヒンジ４１を介してヒンジ固定台４２に固定されているため、ヒンジ４１を中心に水平方向に回動することができる。一方、開閉制限体７１は、感電防止カバー４０の回動方向であって、感電防止カバー４０が持ち上げられたとき、感電防止カバー４０の前面側に、感電防止カバー４０の前面部とわずかな隙間をもって筐体２１に固着されている。
【００５０】
感電防止装置７０の、感電防止メカニズムを説明する。遮断器２２のレバー２４を下げ電源を切りの状態とすると、レバー２４に装着された連結体１１、１２もレバー２４に連動して下がる。連結体１１、１２に固着された感電防止カバー４０も、連結体１１、１２と一体に下がる。遮断器２２のレバー２４が下がった状態では、感電防止カバー４０の上端４５は、開閉制限体７１の下端７２よりも低い位置にある。よって、遮断器２２を切りの状態としているときは、感電防止カバー４０を開ける（回動させる）ことができる。このときは、配線接続端子２７には電気が通じていないので、配線接続端子２７に接触しても感電することはない。
【００５１】
一方、遮断器２２のレバー２４を上げ電源を入りの状態とすると、レバー２４に装着された連結体１１、１２もレバー２４に連動して上がる。連結体に固着された感電防止カバー４０も、連結体１１、１２と一体に持ち上げられる。遮断器２２のレバー２４が上がった状態では、図６に示すように感電防止カバー４０の上端４５は、開閉制限体７１の下端７２よりも高い位置にある。また第１の実施形態と同様、開閉制限体７１は、感電防止カバー４０が持ち上げられたとき、感電防止カバー４０が回動する方向であって、感電防止カバー４０の前面側に位置するように配設されるので、遮断器２２を入りの状態としているときは、感電防止カバー４０を開ける（回動させる）ことができない。遮断器２２を入りの状態としているときは、配線接続端子２７には電気が通じているが、感電防止カバー４０を開けることができないので、配線接続端子２７に接触し感電することはない。
【００５２】
図７は、本発明の第４の実施形態としての感電防止装置８０を装着した電源箱２０の正面図である。図７は、遮断器が入りの状態で、感電防止カバーを取り外すことができない状態を示す。図８は、図７の切断線ＶＩＩＩ−ＶＩＩＩで切断した部分断面図である。なお本実施形態で図１、図２、図６の実施形態に対応する部分には同一の符号を付して、重複する説明は省略する。
【００５３】
図７、図８で示す第４の実施形態の感電防止装置８０は、図６で示す感電防止装置７０と同様、遮断器２２のレバー２４に装着可能な連結体１１、１２、及び着脱制限体８３を主要な構成とする。本実施形態も第３の実施形態で示した感電防止装置７０と同様、感電防止カバー４０が遮断器２２のレバー２４に連動して上下するが、本実施形態においては、感電防止カバー４０は第３の実施形態と異なり、回動する構造となっていない。その代わりに感電防止カバー４０は、着脱可能に固定されている。
【００５４】
第４の実施形態では、連結棒１２ａ、１２ｂに感電防止カバー４０を取付けるための感電防止カバー取付部材８１ａ、８１ｂが固着されている。この感電防止カバー取付部材８１ａ、８１ｂに、固定ネジ８２ａ、８２ｂを用いて着脱可能に感電防止カバー４０が取付けられている。このため遮断器２２のレバー２４を上下、つまり電源を入り切りすると、レバー２４に連動して連結体１１、１２および感電防止カバー４０が上下する。感電防止カバー４０は、感電防止カバー取付部材８１に固定ネジ８２で固定されているので、固定ネジ８２を取り外せば感電防止カバー４０も取りはずことができる。一方、着脱制限体８３は、感電防止カバー４０が持ち上げられたとき、感電防止カバー４０を固定する固定ネジ８２の前面側となる位置に、筐体２１に固着されている。
【００５５】
感電防止装置８０の、感電防止メカニズムを説明する。遮断器２２のレバー２４を下げ電源を切りの状態とすると、レバー２４に装着された連結体１１、１２もレバー２４に連動して下がる。連結体１１、１２に固着された感電防止カバー４０も、連結体１１、１２と一体に下がる。遮断器２２のレバー２４が下がった状態では、感電防止カバー４０の上端４５は、着脱制限体８３の下端８４よりも低い位置にある。よって、遮断器２２を切りの状態としているときは、感電防止カバー４０を固定する固定ネジ８２を取り外し、感電防止カバー４０を取り外すことができる。このときは、配線接続端子２７には電気が通じていないので、配線接続端子２７に接触しても感電することはない。
【００５６】
一方、遮断器２２のレバー２４を上げ電源を入りの状態とすると、レバー２４に装着された連結体１１、１２もレバーに連動して上がる。連結された感電防止カバー４０も、連結体１１、１２と一体に持ち上げられる。遮断器２２のレバー２４が上がった状態では、図７、図８に示すように感電防止カバー４０を固定する固定ネジ８２の前面には、着脱制限体８３が位置する。このため感電防止カバー４０を固定する固定ネジ８２を取り外すことができず、感電防止カバー４０を取り外すことができない。遮断器２２を入りの状態としているときは、配線接続端子２７には電気が通じているが、感電防止カバー４０を取り外すことができないので、配線接続端子２７に接触し感電することはない。
【００５７】
以上、第１から第４の実施形態において、遮断器２２のレバー２４に装着する連結棒取付部材１１として、板状体の中央部に開口部を設け、板状体１１をレバー２４に挿入する例を示したけれども、板状体１１の代わりに紐を用いてもよい。レバー２４に紐をくくり付け、この紐に連結棒１２を取付ける構成であってもよい。要すれば、遮断器２２のレバー２４と連動して、開閉制限体１３、５１、７１又は感電防止カバー４０を動かすことが可能であればよいのである。また、第１から第４の実施形態をはじめ本発明の感電防止装置において、遮断器２２のレバー２４を操作中に感電防止装置が外れ落ちないように、はずれ防止対策を講じておくことが好ましい。さらに感電防止装置の移動をスムーズに行わせるための、ガイドを設けることが好ましい。
【図面の簡単な説明】
【００５８】
【図１】本発明の第１の実施形態としての感電防止装置１０を装着した電源箱２０の斜視図である。
【図２】図１の切断線ＩＩ−ＩＩで切断した部分断面図である。
【図３】本発明の第１の実施形態としての感電防止装置１０を装着した電源箱２０の斜視図であって、感電防止カバー４０が開いている状態を示した図である。
【図４】本発明の第２の実施形態としての感電防止装置５０を装着した電源箱２０の部分断面図である。
【図５】図５（ａ）、図５（ｂ）は、本発明の実施形態の比較例として、開閉制限体として長さの短い開閉制限体６０（６０ａ、６０ｂ）を用いた例を示す図である。
【図６】本発明の第３の実施形態としての感電防止装置７０を装着した電源箱２０の正面図である。
【図７】本発明の第４の実施形態としての感電防止装置８０を装着した電源箱２０の正面図である。
【図８】図７の切断線ＶＩＩＩ−ＶＩＩＩで切断した部分断面図である。
【図９】従来の電源箱１の斜視図の一部である。
【符号の説明】
【００５９】
１０、５０、７０、８０  感電防止装置
１１                    連結棒取付部材
１２                    連結棒
１３、５１、７１        開閉制限体
１４                    凹部体の前面側の板状部
１５                    凹部体の前面側の板状部の上端
１６                    凹部体の底部の板状部
２０                    電源箱
２１                    筐体
２２                    遮断器
２３                    配線接続部
２４                    レバー
２７                    配線接続端子
４０                    感電防止カバー
４１                    ヒンジ
４３                    感電防止カバー下端
４４                    感電防止カバー前面部
４５                    感電防止カバー上端
７２                    開閉制限部材下端
８２                    固定ネジ
８３                    着脱制限体
８４                    着脱制限体下端
【図１】
0004662461.tif 000002
【図２】
0004662461.tif 000003
【図３】
0004662461.tif 000004
【図４】
0004662461.tif 000005
【図５】
0004662461.tif 000006
【図６】
0004662461.tif 000007
【図７】
0004662461.tif 000008
【図８】
0004662461.tif 000009
【図９】
0004662461.tif 000010